(57)【特許請求の範囲】
【請求項１】
映像送信装置からの映像を受信する映像受信装置において、
前記映像受信装置の受信装置情報を記憶する記憶部と、
前記映像送信装置から送信される前記受信装置情報を取得するための要求を受信するとともに、該取得要求に応じて前記記憶部に記憶された受信装置情報を前記映像送信装置に送信するための送受信部とを有し、
前記記憶部は、前記受信装置情報の変更に応じてインクリメントされる履歴番号が更に記憶され、
前記送受信部は、前記映像送信装置から前記取得要求とともに該映像送信装置が保持する履歴番号を受信可能であり、前記受信された映像送信装置からの履歴番号と前記記憶部に記憶された履歴番号とが不一致の場合に、前記記憶部に記憶された前記受信装置情報を前記映像送信装置に送信することを特徴とする映像受信装置。
【請求項２】
前記受信された映像送信装置からの履歴番号と前記記憶部に記憶された履歴番号とが一致する場合は、前記受信装置情報を送信せず、前記受信装置情報の変更が無いことを示すメッセージを前記映像送信装置に返信することを特徴とする請求項１に記載の映像受信装置。
【請求項３】
前記履歴番号の更新で使用しない所定の履歴番号を定め、前記送受信部が所定の履歴番号を前記映像送信装置から受信した場合は、常に履歴番号が不一致となることを特徴とする請求項１に記載の映像受信装置。
【請求項４】
前記受信装置情報はＥＤＩＤであり、前記送受信部は、前記履歴番号に加え、前記ＥＤＩＤの特徴データを受信し、該受信された履歴番号と特徴データの両方が前記記憶部に記憶された履歴番号と前記特徴データと一致する場合に、ＥＤＩＤ変更なしを示す信号を前記映像送信装置に返信することを特徴とする請求項１又は２に記載の映像受信装置。
【請求項５】
前記映像送信装置から無線により映像を受信することを特徴とする請求項１に記載の映像受信装置。
【請求項６】
映像受信装置に映像を送信する映像送信装置において、
前記映像送信装置の映像送信先である映像受信装置に対し該映像受信装置の受信装置情報の取得要求を送信するとともに、該映像受信装置の受信装置情報と、該受信装置情報の履歴番号を受信する送受信部と、
前記送受信部で受信された前記受信装置情報と前記履歴番号を記憶する記憶部とを有し、  
前記送受信部は、前記受信装置情報の取得要求とともに、前記記憶部に記憶された前記履歴番号を前記映像受信装置へ送信し、
前記履歴番号は、前記映像受信装置の受信装置情報の変更に応じて前記映像受信装置によりインクリメントされることを特徴とする映像送信装置。
【請求項７】
前記送受信部は、該送受信部により送信した前記履歴番号に応答して前記映像受信装置から送信されたメッセージを受信可能であり、
前記メッセージが、前記送信された履歴番号と前記映像受信装置が保持する履歴番号が一致することを示す場合は、前記記憶部に記憶された受信装置情報を用いて前記映像を生成し、
前記メッセージが、前記送信された履歴番号と前記映像受信装置が保持する履歴番号が不一致であることを示す場合は、前記記憶部の記憶データを前記映像受信装置から送信された新たな受信装置情報と履歴番号に書き換え、該書き換えられた新たな受信装置情報を用いて前記映像を生成することを特徴とする、請求項６に記載の映像送信装置。
【請求項８】
前記記憶部に受信装置情報が未記憶の場合と、前記映像受信装置が初めて接続される場合は、前記送受信部は、所定の履歴番号を前記取得要求とともに送信し、前記不一致を示すメッセージと前記受信装置情報を受信することを特徴とする請求項６に記載の映像送信装置。
【請求項９】
前記受信装置情報はＥＤＩＤであり、前記送受信部は、前記履歴番号に加えて、ＥＤＩＤの特徴データを送信することを特徴とする請求項６から８に記載の映像送信装置。
【請求項１０】
前記映像受信装置に無線により映像を送信することを特徴とする請求項７に記載の映像送信装置。
【請求項１１】
映像送信装置からの映像又は音声信号の少なくともいずれかを受信する映像受信装置において、
前記映像送信装置と接続される他の映像受信装置が有する受信装置情報の取得要求を送信し、該他の映像受信装置が有する受信装置情報及び履歴番号とを受信する送受信部と、
前記送受信部で受信された該他の映像受信装置が有する受信装置情報の少なくとも一部及び履歴番号を記憶する記憶部を有し、
前記送受信部は、前記受信装置情報の取得要求とともに、前記記憶部に記憶された履歴番号を送信し、
前記履歴番号は、前記他の映像受信装置の受信装置情報の変更に応じて前記他の映像受信装置によりインクリメントされることを特徴とする映像受信装置。
【請求項１２】
前記送受信部は、該送受信部により送信した前記履歴番号に応答して前記他の映像受信装置から送信されたメッセージを受信可能であり、
前記メッセージが、前記送信された履歴番号と前記映像受信装置が保持する履歴番号が一致することを示す場合は、前記記憶部に記憶された受信装置情報を用い、
前記メッセージが、前記送信された履歴番号と前記映像受信装置が保持する履歴番号が不一致であることを示す場合は、前記記憶部の記憶データを前記他の映像受信装置から送信された新たな受信装置情報と履歴番号に書き換え、該書き換えられた新たな受信装置情報を用いることを特徴とする、請求項１１に記載の映像受信装置。
【請求項１３】
前記送受信部は、前記映像送信装置を経由して前記受信装置情報の取得要求と前記履歴番号を送信し、更に、前記映像送信装置を経由して前記受信装置情報とその履歴番号、及び前記メッセージを受信することを特徴とする、請求項１１に記載の映像受信装置。
【発明の詳細な説明】
【技術分野】
【０００１】
本発明は、例えば無線によるインタフェースを用いて接続先の機器と通信可能な映像送信装置および映像受信装置に関する。
【背景技術】
【０００２】
ＨＤＤ（Hard Disc Drive）レコーダや、ＳＴＢ（Set Top Box）などの映像送信装置と、ＴＶやモニタ、プロジェクタ等の映像受信装置との信号伝送を行うためのインタフェースとして、例えばＨＤＭＩ（High-Definition Multimedia Interface）が知られている。ＨＤＭＩを利用したシステムにおいては、映像送信装置から映像受信装置へ映像信号を伝送する際に、映像受信装置の能力及び／または仕様を示す受信装置情報（例えばＥＤＩＤ（Extended Display Identification Data））を映像送信装置が読み取ることによって、映像送信装置は映像受信装置の能力や仕様に適したフォーマットの映像・音声信号を伝送することが可能となる。
【０００３】
このＥＤＩＤは、例えばＨＤＭＩ規格において定義された物理アドレスや表示遅延時間等が記述されており、この物理アドレスは、映像受信装置や映像送信装置への機器の接続構成に応じて変化し、表示遅延時間は映像受信装置の信号処理方法によって変化する場合がある。このため、映像送信装置は、映像受信装置のＥＤＩＤの変化に応じて適宜読み出す必要があるが、無線接続などのインタフェースでは伝送遅延や伝送容量の問題があり、ＥＤＩＤを速やかに読み出せない場合がある。
【０００４】
上記無線インタフェースにおける伝送遅延や伝送容量に関する課題を解決するための従来技術としては、例えば特許文献１及び２に記載のものが知られている。
【０００５】
特許文献１には、ディスプレイ（映像受信装置）のＥＤＩＤをソース（映像送信装置）が速やかに読み出すために、ディスプレイ（映像受信装置）側のマスタシミュレータはスレーブ（ＥＤＩＤ）の変化を継続的にポーリングし、ソース（映像送信装置）側のスレーブシミュレータ内のシャドウメモリに現在の状態に維持し、これにより、マスタ（映像送信装置）からの読出処理は無線リンクを検出することなく、スレーブシミュレータのシャドウメモリから直ちに実行できることが記載されている。
【０００６】
また、特許文献２には、ＥＤＩＤ情報に関わる変化であるときに、その変化に対応して書換可能メモリに格納されたＥＤＩＤ情報の該当項目データを書き換え、併せて、当該ＥＤＩＤ情報内の製品固有ＩＤを書き換え、ＤＤＣ通信機能により書換可能メモリに格納されたＥＤＩＤ情報をパーソナルコンピュータへと送出することが記載されている。
【先行技術文献】
【特許文献】
【０００７】
【特許文献１】特表2006-519549号公報
【０００８】
【特許文献２】特開2000-194346号公報
【発明の概要】
【発明が解決しようとする課題】
【０００９】
伝播遅延がありかつ通信容量が十分でない無線などの映像インタフェースを用いる場合、映像送信装置が映像受信装置のＥＤＩＤ等の受信装置情報を必要とする時にできるだけ短時間で受信装置情報を入手し、受信装置情報が不要な時は受信装置情報の通信を避けて映像伝送への影響を減らすことが好ましい。
【００１０】
ところが、上記特許文献１に記載のようなＥＤＩＤの変化を定期的にソース側に伝える方式では、周期的なＥＤＩＤ伝送を継続して行う必要があり、映像送信装置側でＥＤＩＤ情報が不要な時でも定期的に処理が発生することとなる。また特許文献２に記載のものは、製品固有ＩＤを読み出すだけでＥＤＩＤ情報に変化の有無を検出できる利点があるが、本来の製品固有ＩＤとしての識別情報が失われてしまう場合がある。
【００１１】
本発明は、上記課題に鑑みて為されたものであって、映像送信装置と映像受信装置とを無線インタフェースで接続する場合において、映像受信装置の装置情報が変化した場合に好適に受信装置情報を取得することが可能な技術を提供するものである。
【課題を解決するための手段】
【００１２】
上記課題を解決するために、本発明の一実施の態様は、例えば特許請求の範囲に記載された技術的思想を用いる。
【発明の効果】
【００１３】
本発明の構成によれば、映像受信装置は映像送信装置からの履歴番号が異なる場合に最新の受信装置情報を映像送信装置へ送るため、映像送信装置と映像受信装置をつなぐインタフェースの伝送量を最小限にすることができる。従って、本発明によれば、映像受信装置の装置情報が変化した場合に好適に受信装置情報を取得することが可能となる。
【図面の簡単な説明】
【００１４】
【図１】本発明の一実施例に係る映像送信装置と映像受信装置を無線接続したシステム構成図である。
【図２】本発明の一実施例に係る映像受信装置の記憶部に記憶される情報例を示す説明図である。
【図３】本発明の一実施例に係る映像送信装置と映像受信装置間の通信手順を示すフローチャートの一例である。
【図４】本発明の一実施例に係る映像送信装置と映像受信装置間の通信手順を示すフローチャートの他の例である。
【図５】本発明の一実施例に係る映像送信装置と映像受信装置間の通信手順を示すフローチャートの更に他の例である。
【発明を実施するための形態】
【００１５】
以下、図面を参照しつつ本発明の実施形態について説明する。
【００１６】
図１は、本発明の一実施例を示すシステム構成図であって、映像送信装置１０と、それぞれ映像受信装置であるＴＶ１１とアンプ１２が、無線インタフェースで接続されている例を示している。ここで、映像送信装置１０は、例えばＨＤＤプレーヤやＤＶＤレコーダ等であり、信号源１０１、映像・音声送信と制御信号の送受信を行う送受信部１０２、記憶部１０３、及びＣＰＵ１０４を有している。
【００１７】
一方、映像受信装置であるＴＶ１１は、映像・音声受信と制御信号の送受信を行う送受信部１１１、映像信号処理１１２、表示部１１３、音声遅延部１１４、音声信号処理１１５、スピーカ１１６、ＣＰＵ１１７、及び記憶部１１８を有している。またアンプ１２は、映像・音声受信と制御信号の送受信を行う送受信部１２１と、音声遅延部１２４、音声信号処理１２５、スピーカ１２６、ＣＰＵ１２７、及び記憶部１２８を有している。
【００１８】
本実施例は、上記のような構成を有するシステムにおいて、映像受信装置の記憶部１１８に受信装置情報とともに該受信装置情報の更新履歴（バージョン情報）を示す履歴情報を記憶させ、この受信装置情報と履歴情報を映像送信装置１０に送信して記憶部１０３にも記憶させるようにしておく。そして、映像送信装置１０が新しい（すなわち変更された）受信装置情報を取得する場合は、映像受信装置において映像送信装置１０の記憶部１０３に記憶された履歴情報と映像受信装置の記憶部１１８に記憶された履歴情報とを比較し、これが不一致の場合に新しい受信装置情報を映像送信装置１０に送信することを特徴とするものである。まず、かかる実施例における映像・音声信号の伝送の仕組みについて以下に説明する。尚、以下の例では、履歴情報としてＥＤＩＤが更新される度にインクリメントされる数値を用いているため、「履歴情報」を「履歴番号」と呼ぶこととする。
【００１９】
ＴＶ１１の記憶部１１８には、例えば図２に示す様に、無線ＩＤと履歴番号、当該ＴＶ１１の能力及び／または仕様を示すＥＤＩＤを受信装置情報として記憶している。ＥＤＩＤは例えば、当該ＴＶ１１の製品型名や受信可能な映像・音声フォーマット、映像・音声遅延時間、カラリメトリなどが含まれている。尚、以下では、受信装置情報を「ＥＤＩＤ」と呼ぶものとする。
【００２０】
ＴＶ１１は、記憶部１１８に記憶したＥＤＩＤを、ＴＶ１１側の送受信部１１１を経由して映像送信装置１０へ送信する。映像送信装置１０は、送受信部１０２の制御信号の送受信機能によりＴＶ１１からのＥＤＩＤを受信し、映像送信装置１０内の記憶部１０３に受信されたＥＤＩＤの全て又は一部を記憶する。ＣＰＵ１０４は、記憶部１０３に記憶されたＥＤＩＤに記述されるＴＶ１１の受信能力や仕様を参照して、最適な映像・音声伝送フォーマットを決定する。そしてＣＰＵ１０４は、該決定した映像・音声フォーマットに対応した映像信号と音声信号を生成するように信号源１０１を制御する。信号源１０１から出力された映像・音声信号は、送受信部１０２から送信され、ＴＶ１１の送受信部１１１により受信される。受信部１１１が受信した映像・音声信号はそれぞれ映像信号処理部１１２と音声信号処理部１１５を経由して表示部１１３とスピーカ１１６で再生される。映像信号処理部１１２がフレームメモリ等を用いる場合、映像処理に時間を要するため、スピーカから再生される音声に対して映像の再生が遅延することがある。この映像遅延量を補正するために音声遅延部１１４を入れて、映像信号処理部１１２における映像処理に伴う映像の遅延を補償し、映像と音声の同期をとるようにしてもよい。尚、記憶部１１８と記憶部１０３はそれぞれＣＰＵ１１７と１０４を経由して送受信部１１１、送受信部１０２と接続されているが、ＣＰＵを介さずに直接送信部と受信部に接続してＥＤＩＤを直接送受信してもよい。
【００２１】
また、ＴＶ１１内蔵のスピーカに代えて、アンプ１２で高音質音声を再生してもよい。この場合、アンプ１２は、記憶部１２８に記憶された当該アンプ１２の受信能力及び／または仕様を示すＥＤＩＤを、アンプ１２側の送受信部１２１を経由して映像送信装置１０へ送信する。映像送信装置１０は、送受信部１０２の制御信号の送受信機能によりアンプ１２からのＥＤＩＤを受信し、映像送信装置１０内の記憶部１０３に受信されたＥＤＩＤの全て又は一部を記憶する。ＣＰＵ１０４は、記憶部１０３に記憶されたＥＤＩＤに記述されるアンプ１２の受信能力や仕様を参照して、最適な音声伝送フォーマットを決定する。そしてＣＰＵ１０４は、該決定した音声フォーマットに対応した音声信号を生成するように信号源１０１を制御する。信号源１０１から出力された音声信号は、送受信部１０２から送信され、アンプ１２の送受信部１２１により受信される。送受信部１２１で送受信された音声信号は、音声遅延部１２４により、必要に応じて映像信号処理部１１２の映像処理に掛かる時間分遅延される。その後音声信号処理部１２５により必要に応じ例えばサラウンド処理などが施され、アンプ１２に接続された１または複数のスピーカ１２６により音声が再生される。尚、記憶部１２８はＣＰＵ１２７を経由して送受信部１２１と接続されているが、ＣＰＵを介さずに直接送受信部１２１と送受信部１０２に接続してＥＤＩＤを直接送受信してもよい。
【００２２】
上記の遅延時間は、ＴＶ１１の表示モードに対応した映像処理内容により変化され得る。例えば、フレームレートが６０Ｈｚの信号を２４０Ｈｚに変換して表示するモードの場合は、かかる変換のための映像処理に多くの時間が生じる。一方、ゲーム機器からの映像信号を表示する「ゲームモード」の場合は、操作に対する映像表示の遅延を防止するために例えば上記フレームレート変換を行わないようにしており、このモードの場合は、遅延時間は短縮される。
【００２３】
上述のＥＤＩＤは、上述した物理アドレスや映像・音声の遅延時間など機器の接続構成や映像処理内容（表示モード）に応じて変化する、いわゆるリアルタイム情報を含んでいる。このため、映像送信装置１０は、その記憶部１０３が記憶しているＥＤＩＤが最新のものかどうかを確認する必要がある。かかる目的のために、本実施例では、ＴＶ１１やアンプ１２などの映像受信装置に、あらかじめＥＤＩＤに履歴番号を付与している。かかる履歴番号は、例えば初期値は「０」で、映像受信装置により、ＥＤＩＤの内容が変更される度に例えば１ずつ増やすなどの更新が為される。映像送信装置１０が最新のＥＤＩＤを必要とする時（取得する時）は、映像送信装置１０は、その記憶部１０３が記憶している履歴番号を付与してＥＤＩＤの取得要求を映像受信装置に送信する。映像受信装置は、映像送信装置１０からの履歴番号と、映像受信装置の記憶部１０３に記憶された履歴番号とを比較し、不一致の場合、すなわちＥＤＩＤに変更があった場合のみ、映像受信装置から映像送信装置へ（変更された）ＥＤＩＤを伝送する。これにより、多くの非更新時におけるＥＤＩＤ伝送を省略することができる。ＥＤＩＤの伝送は比較的大きな伝送容量が必要となるため、ＥＤＩＤ伝送時には映像・音声信号を伝送するために必要な伝送容量を確保できない場合がある（すなわち映像音声信号のための伝送容量がＥＤＩＤ伝送のために割かれてしまう）。しかしながら本実施例によれば、ＥＤＩＤが変更されていない場合は映像受信装置からＥＤＩＤが伝送されないため、映像音声伝送への影響を避けることができる効果がある。
【００２４】
本実施例に係る履歴番号を用いた最新ＥＤＩＤの確認と入手方法の一具体例を、図３を用いて以下に説明する。図３は、本実施例に係る映像送信装置１０とＴＶなどの映像受信装置１１間の通信メッセージと、それぞれの記憶部１０３と１１８の記憶内容の変化を示したフロー図である。
【００２５】
映像送信装置１０が始めて映像受信装置（ここではＴＶ１１を例とする）と接続される時（新規接続状態２０１）、映像送信装置１０の記憶部１０３には記憶されているＥＤＩＤが無いので、履歴番号“０”が付加されたＥＤＩＤの取得要求メッセージ２２１を映像受信装置１１へ送る。このメッセージ２２１は周期的に送信してもよい。履歴番号“０”は、記憶ＥＤＩＤ無しの意味に使うとよい。一方、映像受信装置１１は、予め“０”以外の履歴番号、例えば“２”を記憶部１１８に設定しておく（状態２１１）。映像受信装置１１のＣＰＵ１１７は、記憶部１１８に記憶された履歴番号を読み出し、映像送信装置１０からのＥＤＩＤの取得要求メッセージ２２１に付加された履歴番号と比較する。ＣＰＵ１１７は、映像送信装置１０からの履歴番号が記憶部１１８の状態２１１に示す履歴番号と異なるので両者は不一致と判定し、ＥＤＩＤを映像送信装置１０へ送信する必要があるとの決定を行う。そしてＣＰＵ１１７は、記憶部１１８に記憶されたＥＤＩＤとその更新情報である履歴番号“２”を映像送信装置１０へ送信するように送受信部１１１を制御する。映像送信装置１０は、その送受信部１０２により映像受信装置１０から送信されたＥＤＩＤと履歴番号の“２”を受信し、ＣＰＵ１０４は、該受信したＥＤＩＤと履歴番号を記憶部１０３へ記憶させる（状態２０２）。
【００２６】
その後、映像送信装置１０が最新ＥＤＩＤを必要とする時に、映像送信装置１０のＣＰＵ１０４は、その記憶部１０３が記憶している履歴番号“２”を読み出してＥＤＩＤ要求メッセージ２２３に付加し、これを映像受信装置１１へ送信するように送受信部１０２を制御する。映像受信装置１１の送受信部１１１により映像受信装置１１からのＥＤＩＤ要求メッセージと履歴番号“２”を受信し、更にＣＰＵ１１７は、映像受信装置１１の記憶部１１８に現在記憶されている履歴番号を読み出して、受信された履歴番号と比較する。記憶部１１８に記憶されたＥＤＩＤに変更が無く履歴番号が“２”のまま（状態２１２）であり、受信されたＥＤＩＤ要求メッセージ２２３に付加された履歴番号と一致するので、ＣＰＵ１１７は、ＥＤＩＤ変更無しを示すメッセージ２２４を映像送信装置１０へ送信するように送受信部１１１を制御する。ＥＤＩＤ変更無しメッセージ２２４は映像送信装置の送受信部１０２により受信され、当該受信メッセージに基づいて映像送信装置１０のＣＰＵ１０４は、記憶部１０３に記憶された状態２０３（ＥＤＩＤに変更なし）を維持し、当該記憶部１０３に記憶されたＥＤＩＤを最新ＥＤＩＤとして用いる。
【００２７】
再度、映像送信装置１０が最新ＥＤＩＤを必要とする場合、ＣＰＵ１０４は、記憶部１０３に記憶されている履歴番号“２”をＥＤＩＤの取得要求メッセージ２２５に付加して送受信部１０２により映像受信装置１１へ送信し、映像受信装置の送受信部１１１により受信される。ここで、映像受信装置１１は、そのメッセージ２２５を受信する前に、例えば映像受信装置１１への機器接続構成の変化（例えばＴＶ１１にＤＶＤプレーヤが新たに接続された等）によりＥＤＩＤが変更されたものとする。この場合、ＣＰＵ１１７は、映像受信装置１１の記憶部１１８に記憶されている履歴番号（ＥＤＩＤ変化前は「２」）を１増やして“３”に変更する（状態２１３）。その結果、当該状態での映像受信装置１１の履歴番号は、送受信部１１１で受信されたＥＤＩＤ要求メッセージ２２５の履歴番号“２”と異なる。この場合、映像受信装置１１のＣＰＵ１１７は、変更された最新のＥＤＩＤと履歴番号“３”を記憶部１１８から読み出して送受信部１１１により映像送信装置１１へ送信する。映像送信装置１１は、その最新ＥＤＩＤと履歴番号“３”を送受信部１０２により受信し、更にＣＰＵ１０４により受信したＥＤＩＤと履歴番号の記憶部１０３へ記憶させる（すなわち記憶部１０３のデータの書き換えを行う）。（状態２０４）。以降、映像送信装置１１は、再度映像受信装置１１のＥＤＩＤが変更されるまで、記憶部１０３に記憶された履歴番号“３”に対応するＥＤＩＤを用いて映像・音声信号作成などの各種制御が行われる。
【００２８】
このように履歴番号を順次増やし、最大値（例えば２５５）に達した場合は、記憶無しの“０”を飛ばして１から順次増やしていくと良い。また、何らかの事情で有効なＥＤＩＤデータが無い場合は、映像受信装置がＥＤＩＤを省略して履歴番号“０”を送信するようにしてもよい。
【００２９】
以上に示したように、映像送信装置が最新のＥＤＩＤを必要とする時で、かつ履歴番号が異なる場合のみ、ＥＤＩＤ送受信が発生するので、ＥＤＩＤ通信に必要な伝送容量と伝送時間を最小にすることができる。
【００３０】
また、履歴番号に加えて、ＥＤＩＤに含まれるチェックサムなどのＥＤＩＤの特徴データも併せて比較し、履歴番号と特徴データの両者が一致した場合のみ、映像送信装置１０の記憶部１０３に記憶されるＥＤＩＤを用い、どちらか一方でも不一致の場合は映像受信装置からＥＤＩＤを送信させることにより、そのデータの信頼性を高めてもよい。ＥＤＩＤ中のチェックサムはブロック毎にあるので、履歴番号もブロック毎に付与し、ブロック毎にデータ比較を行ってもよい。特徴データとしてはＣＲＣ（Cyclic Redundancy Check）やハッシュ関数などを用いてもよい。
【００３１】
さらに、無線などの通信ネットワークを確立する際に用いられる無線ＩＤの一致・不一致も併せて評価することにより、さらなる信頼性向上を期待できる。具体的には、映像受信装置１１の無線ＩＤを映像送信装置１０の記憶部１０３に記憶しておき、当該映像送信装置１０において、記憶されている映像受信装置１１の無線ＩＤと、ＥＤＩＤ要求メッセージの送信先となる映像受信装置の無線ＩＤとを比較する。不一致の場合、映像送信装置１０には記憶されているＥＤＩＤが存在しないことを示す履歴番号“０”を映像受信装置１１に送信することによって、実現できる。
【００３２】
以上の例では、映像送信装置１０が映像受信装置であるＴＶ１１のＥＤＩＤを読込む例であったが、もう一つの映像受信装置であるアンプ１２がＴＶ１１のＥＤＩＤを読込む場合も同様の手順を利用することができる。例えば図１の例で、ＴＶ１１を消音してアンプ１２で音を再生する場合（すなわちＴＶ１１に内蔵されるスピーカ１１６に代えてアンプ１２に接続されたスピーカ１２６で音声出力する場合）、ＴＶ１１の上述した映像遅延量をＴＶ１１のＥＤＩＤとして取得し、アンプ１２の音声遅延部１２４で該取得された映像遅延量分だけ遅延させるようにしてもよい。このようにすると、アンプ１２で音声を出力する際に、アンプ１２の音声出力とＴＶ１１の表示部１１３での映像表示との同期をとるために有効である。
【００３３】
図４は、アンプ１２−映像送信装置１０−ＴＶ１１間の通信メッセージと、それぞれの記憶部１２８と１１８の記憶内容の変化を示したフロー図である。ここで、アンプ１２の記憶部１２８は、映像送信装置１０の記憶部１０３と同様な働きを持つものとする。ＥＤＩＤ要求メッセージやＥＤＩＤ送信メッセージは、アンプ１２の送受信部１２１における制御信号の送受信機能部から映像送信装置１０の送受信部１０２における制御信号の送受信機能部を経由して、ＴＶ１１の送受信部１１１における制御信号送受信機能部へ送られる。ＴＶ１１からアンプ１２への通信メッセージも上記と同様に映像送信装置１０を経由して伝送される。映像送信装置１０による通信メッセージ中継機能以外は、図３に示された映像送信装置１０とＴＶ１１間のＥＤＩＤやメッセージ、及び履歴番号の通信と同様である。すなわち、図３において説明した映像送信装置１０のＣＰＵ１０４、送受信部１０２、記憶部１０３で行うＥＤＩＤ要求や履歴番号の送信及びこれらの記憶処理と同様な処理を、図４においては、アンプ１２のＣＰＵ１２７、送受信部１２１及び記憶部１２８が行うものと読み替えればよい。この例では、アンプ１２の送受信部１２１により受信された、ＴＶ１１のＥＤＩＤの全てを記憶部１２８に記憶する必要は無く、例えば映像遅延量に関する情報のみを記憶部１２８に記憶させてもよい。
【００３４】
図４の例では、映像送信装置１０はアンプ１２とＴＶ１１との通信の中継する役割を行うのみであるが、これ以外の機能を持たせてもよい。例えば、映像送信装置１０は、アンプ１２から受信した履歴番号付きＥＤＩＤ要求メッセージをＴＶ１１へ転送する際、その記憶部１０３が持つ履歴番号の方がアンプ１２から受信した履歴番号よりも新しい（すなわち記憶部１０３が持つ履歴番号の数字が大きい）のであれば、アンプ１２から受信した履歴番号に代えて記憶部１０３が持つより新しい履歴番号へ取り換えてＴＶ１１へＥＤＩＤ要求メッセージとともに送信してもよい。その例を図５のフロー図に示す。映像送信装置１０の記憶部１０３が持つ履歴番号が“２”である時（状態２５１）、アンプ１２から履歴番号“０”付のＥＤＩＤ要求メッセージ２３１が来ると、映像送信装置１０のＣＰＵ１０４は映像送信装置１０の持つ履歴番号が新しいと判断して記憶部１０３が持つ履歴番号“２”を付加したＥＤＩＤ要求メッセージ２４７を送受信部１０２によりＴＶ１１へ送る。また、映像送信装置１０は、ＴＶ１１から受信したＥＤＩＤの全てをアンプ１２に送信する必要は無く、例えば映像遅延量に関する情報のみを送信するようにしてもよい。
【００３５】
ＴＶ１１のＣＰＵ１１７は、受信した履歴番号とＴＶ１１の記憶部１１８の持つ履歴番号“２”とを比較し、両者が等しいことから、ＥＤＩＤ変更無しのメッセージ２４８を送受信部１１を介して映像送信装置１０へ返す。ＥＤＩＤ変更無しのメッセージ２４８を受けた映像送信装置１０は、記憶部１０３が持つＥＤＩＤと履歴番号“２”をＥＤＩＤメッセージ２３２でアンプ１２へ伝送する。アンプ１２は、このＥＤＩＤメッセージ２３２を送受信部位１２１で受信し、その記憶部１２８に受信されたＥＤＩＤの全部又は一部を記憶させる（状態２０２）。このように、アンプ１２からの履歴番号を、中継機器（本例では映像送信装置１０）が持つより新しい履歴番号へ付け替えることにより、ＴＶ１１と映像送信装置１０間の通信量を抑えることができる利点がある。
【００３６】
また、映像送信装置１０がＴＶ１１から新ＥＤＩＤと履歴番号のメッセージ２４６を受信した場合、映像送信装置１０の記憶部１０３のＥＤＩＤと履歴番号を更新（状態２５２）することによって、映像送信装置１０とＴＶ１１間のＥＤＩＤ関連メッセージを減らし、伝送容量や伝送時間を最小化する利点がある。
【００３７】
以上、受信装置情報の例としてＥＤＩＤを例にとって説明したが、ＥＤＩＤに限らず、例えば消費電力、画面の明るさ、使用時間などの映像受信装置固有情報としてもよい。また上記実施例では、映像受信装置としてＴＶとアンプを例にして説明したが、当然これに限られるものではなく、別の機器であってもよいことは言うまでもない。
【符号の説明】
【００３８】
１，２  映像システム、  １０  映像送信装置、  １１，１３  ＴＶ、  １２，１３  アンプ、  １０１  信号源、  １０２  送受信部、  １０３，１１８，１２８  記憶部、  １０４，１１７，１２７  ＣＰＵ、  １１１，１２１  送受信部、  １１２  映像信号処理、  １１３  表示部、  １１４，１２４  音声遅延部、  １１５，１２５  音声信号処理、  １１６，１２６  スピーカ、２２１〜２２６，２３１〜２３６，２４１〜２４８  メッセージ、  ２１０〜２０４，２１１〜２１３，２５１，２５２  記憶部の状態
【図１】
0005506260.tif 000002
【図２】
0005506260.tif 000003
【図３】
0005506260.tif 000004
【図４】
0005506260.tif 000005
【図５】
0005506260.tif 000006